(57)【要約】      （修正有）【課題】融雪時に音が発生せず、時間がかからない融雪ができる融雪装置を提供する。【解決手段】融雪装置１０は、雪１２を投入する温水貯蔵タンク１４と、温水貯蔵タンク１４内に高さが異なる２つの排水管２０，２２を備え、低い位置にある排水管２２に流れ込む水量を制限するものである。融雪装置１０では、雪１２の投入時に温水貯蔵タンク１４内の水位が上がっても、高い位置にある排水管２０が連結する排水口１６の位置まで水位が上昇する時間Ｔは、温水貯蔵タンク１４内の温水１４ａは低い位置にある排水管２２を通じて排水溝２４に排水されない、また排出されてもその水量は少量となる。雪１２の投入と排水にタイムラグＴを発生させることにより、融雪装置１０の融雪能力低下を防止でき、時間をかけることなく投入する雪を融雪することができる。また、融雪作業時は、ヒートポンプ３０は稼働していないことから、作業中の騒音は発生しない。【選択図】図１
2020143533.tif 000002
【特許請求の範囲】
【請求項１】
雪を投入する温水貯蔵タンクと、温水貯蔵タンク内に高さが異なる２つの排水管を備え、低い位置にある排水管に流れ込む水量を制限することを特徴とする融雪装置。
【発明の詳細な説明】
【技術分野】
【０００１】
本発明は、敷地内に盛られる雪を融雪するための融雪装置に関するものである。
【背景技術】
【０００２】
豪雪地帯では、冬季間の交通安全を確保するため除排雪作業（雪処理対策）を実施している。例えば、住宅敷地内の雪を道路に放置する行為は、除排雪作業を遅延させ、また交通安全上危険な行為である。したがって、敷地内の雪は指定された雪捨場へ搬入する必要がある。
しかし、雪捨場へ雪を搬入するには、労力を要し、また運搬費用等の経費がかかるという問題があった。
【０００３】
そこで、従来、コストを抑えることができる融雪処理装置が提供されていた（例えば、特許文献１）。
【先行技術文献】
【特許文献】
【０００４】
【特許文献１】特開平１−２９９９０８号公報
【０００５】
特許文献１の融雪処理装置は、地表部に雪投入槽を地熱を吸収できる状態に埋設し、雪投入槽の上部に開閉蓋付の雪投入口を設け、側壁上部に排水溝に通じる排水管を設け、雪投入槽の上部に散水装置を設け、散水装置より雪投入槽内の融雪水を散水する循環ポンプを雪投入槽内に設け、雪投入槽の底部にエアー噴出管を設けたものである。これにより、水源が不要となり、ボイラー電熱ヒーティング等の熱源利用の融雪装置に比べ、イニシャルコスト、ランニングコストが著しく安価にできる。
【発明の概要】
【発明が解決しようとする課題】
【０００６】
特許文献１の融雪処理装置は、雪投入槽内の融雪水を用いて融雪するものであり、雪投入槽に投入した雪に融雪水を散水して融雪するものである。
しかし、散水において騒音が発生し、住宅地における融雪処理装置の使用は近隣の住民に迷惑がかかるおそれがあった。また、融雪水を用いた融雪であることから、融雪作業に時間を要していた。
【０００７】
本発明は、融雪時に音が発生せず、時間がかからない融雪ができる融雪装置を提供することを目的とする。
【課題を解決するための手段】
【０００８】
本発明の融雪装置は、雪を投入する温水貯蔵タンクと、温水貯蔵タンク内に高さが異なる２つの排水管を備え、低い位置にある排水管に流れ込む水量を制限するようにしたものである。
【発明の効果】
【０００９】
本発明の融雪装置を用いて融雪作業を行う場合、温水貯蔵タンクの温水で融雪することから、融雪時に音が発生することはない。また、融雪作業開始時のタンク内の水位から高い位置にある排水管まで水位が上昇する時間は、タンク内の温水は排水されないため、融雪に時間がかからない。
また、本発明の融雪装置により、住宅敷地内等の雪を道路に放置する必要もなく、また雪捨場に搬入する必要もなくなることから、雪捨場へ搬入する労力及び運搬費用等の経費を削減することができる。
【図面の簡単な説明】
【００１０】
【図１】本発明の融雪装置の構造を表わす図である。
【図２】図１の融雪装置の比較例を表わす図である。
【図３】本発明の融雪装置の他の実施形態を表わす図である。
【発明を実施するための形態】
【００１１】
本発明は、敷地内の雪かき作業を容易にすることを実現するものである。
【実施例】
【００１２】
本発明の融雪装置を図に基づいて説明する。図１は、本発明の融雪装置の構造を表わす図である。図２は、図１の融雪装置の比較例を表わす図である。
本発明の融雪装置は、雪を投入する温水貯蔵タンクと、温水貯蔵タンク内に高さが異なる２つの排水管を備え、低い位置にある排水管に流れ込む水量を制限するものである。
図１の融雪装置１０は、雪１２を投入する温水貯蔵タンク１４と、温水貯蔵タンク１４の側面に高さが異なる２つの排水口１６，１８とを備え、各排水口１６，１８に温水貯蔵タンク１４内に向けて排水管２０，２２が連結されている。排水口１６，１８に連結する排水管２０，２２は、高さが異なるように設けられている。図１において、高い位置にある排水口１６に連結する排水管２０は、低い位置にある排水口１８に連結する排水管２２より高い位置に設けられている。
なお、排水される温水貯蔵タンク１４内の貯水１４ａは、排水管２０，２２を通じて外部（排水溝２４）に排出される。また、温水貯蔵タンク１４内の排水管２０，２２の先端開口部２０ａ，２２ａは、排水口１６，１８より低い位置に配置されている。
【００１３】
温水貯蔵タンク１４は、地表２６に雪１２の投入口である開閉可能な蓋１４ｂが設けられ、タンク本体１４ｃは地中２８に埋め込まれている。温水貯蔵タンク１４内の底には、ヒートポンプ３０の配管３０ａが敷設されており、温水貯蔵タンク１４内の貯水１４ａを温水にできるようになっている。また、温水貯蔵タンク１４の蓋１４ｂの裏面及びタンク本体１４ｃの内壁は断熱材で覆われているものとする（図示せず）。
ヒートポンプ３０の稼働時間は深夜電力の利用時間帯とする。これにより、ランニングコストを軽減することができる。なお、温水貯蔵タンク１４の貯水１４ａは、深夜電力を使用し、４０℃程度の温水にすることができる。また、稼働時のヒートポンプ３０から発する音は４０ｄＢ〜４５ｄＢ程度であり、騒音トラブルになることはない。
本発明において、融雪作業中（深夜電力を利用できない時間帯）は、貯水１４ａを温水化できないものとする。
【００１４】
温水貯蔵タンク１４内には、高さが異なる２つの排水管２０，２２が備えられている。また、低い位置にある排水管２２に流れ込む水量は制限されている。図１では、低い位置にある排水管２２の先端開口部２２ａは小さい穴を複数設けた蓋３２で閉じられており。排水管２２の先端開口部２２ａに流れ込む水量を制限している。したがって、雪１２の投入に伴い温水貯蔵タンク１４内の水位が増しても、低い位置にある排水管２２から排水されない、もしくは。排水されてもその水量は少量となるようになっている。
なお、雪１２の投入前の温水貯蔵タンク１４内の温水１４ａは、低い位置にある排水管２２を連結する排水口１８の位置まで貯水されている。
【００１５】
図２の融雪装置３４は、温水貯蔵タンク１４内に１つの排水管３４ａを備えるものである。雪１２の投入前の温水貯蔵タンク１４内の温水１４ａは、排水管３４ａを連結する排水口３４ｂの位置まで貯水されている。図２の融雪装置３４では、雪１２を投入すると温水貯蔵タンク１４内の水位が上がり、同時に温水貯蔵タンク１４内の温水１４ａは排水管３４ａを通じて外部（排水溝２４）に排水される。したがって、投入される雪１２が温水貯蔵タンク１４内で融ける前に、温水貯蔵タンク１４内の温水１４ａが排水されるため、雪１２を投入する前の融雪装置３４の融雪能力は十分発揮できない。なお、図１と同じ参照番号の構成部は、図１の構成部と同じであるため、詳細な説明は省略する。
これに対し、図１の融雪装置１０では、雪１２の投入時に温水貯蔵タンク１４内の水位が上がっても、高い位置にある排水管２０が連結する排水口１６の位置まで水位が上昇する時間Ｔは、温水貯蔵タンク１４内の温水１４ａは低い位置にある排水管２２を通じて外部（排水溝２４）に排水されない、また排出されてもその水量は少量となる。すなわち、雪１２の投入と排水にタイムラグＴ（時間差）が発生する。したがって、高い位置にある排水管２０まで水位が上昇するまでの時間Ｔは、温水貯蔵タンク１４内の温水１４ａを無駄にすることなく、融雪に利用することができる。このように、雪１２の投入と排水にタイムラグＴ（時間差）を発生させることにより、融雪装置１０の融雪能力低下を防止でき、時間をかけることなく投入する雪を融雪することができる。
また、融雪作業時は、ヒートポンプ３０は稼働していないことから、作業中の騒音は発生しない。
【００１６】
図３は、本発明の融雪装置の他の実施形態を表わす図である。図３の融雪装置３６は、図１の融雪装置１０の排水口１６，１８を一つにした排水口３８に連結する排水管を温水貯蔵タンク１４内で分岐したものである。温水貯蔵タンク１４内において分岐された２つの排水管４０，４２は高さが異なるように設けられている。また、低い位置にある排水管４２に流れ込む水量は制限されている。図１の融雪装置１０と同様、低い位置にある排水管４２の先端開口部４２ａは小さい穴を複数設けた蓋３２で閉じられており。排水管４２の先端開口部４２ａに流れ込む水量を制限している。したがって、雪１２の投入に伴い温水貯蔵タンク１４内の水位が増しても、低い位置にある排水管４２から排水されない、もしくは。排水されてもその水量は少量となるようになっている。これにより、雪１２の投入と排水にタイムラグＴを発生させることができ、融雪装置３６の融雪能力低下を防止でき、時間をかけることなく投入する雪を融雪することができる。
なお、雪１２の投入前の温水貯蔵タンク１４内の温水１４ａは、低い位置にある排水管４２を連結する排水口３８の位置まで貯水されている。また、排水される温水貯蔵タンク１４内の貯水１４ａは、排水管４０，４２を通じて外部（排水溝２４）に排出される。温水貯蔵タンク１４内の排水管４０，４２の先端開口部４０ａ，４２ａは、排水口３８より低い位置に配置されている。
上記以外は、図１の融雪装置１０と同じであるため、詳細な説明は省略する。
【００１７】
本発明の融雪装置は、住宅などの敷地内に設置するのに適したものである。一度に多くの雪を解かすというよりは、こまめに例えば毎日少しずつ融雪を行う事で、雪捨場への搬入、敷地内の雪の山積みを解消し、雪国の日常生活を安全に苦労なく生活できるようにすることが本発明により可能になる。
【符号の説明】
【００１８】
１０、３６  融雪装置
１２  雪
１４  温水貯蔵タンク
１６、４０  排水管
１８、４２  排水管
【図１】
2020143533.tif 000003
【図２】
2020143533.tif 000004
【図３】
2020143533.tif 000005
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
雪を投入する投入口を地表に設け、タンク本体を地中に埋め込む温水貯蔵タンクと、温水貯蔵タンク内に、温水貯蔵タンクの排水口に連結して設けられ、雪の投入により貯水の水位が上昇した場合に貯水を排水する高さが異なる２つの排水管とを備え、雪の投入前のタンク本体は、低い位置にある排水管まで貯水されているものであり、雪の投入により低い位置にある排水管に流れ込む排水の水量を制限することにより、雪の投入により上昇するタンク本体の水位が低い位置にある排水管から高い位置にある排水管まで上昇するまで温水の排水を制限することを特徴とする融雪装置。
【手続補正２】
【補正対象書類名】明細書
【補正対象項目名】０００８
【補正方法】変更
【補正の内容】
【０００８】
本発明の融雪装置は、雪を投入する投入口を地表に設け、タンク本体を地中に埋め込む温水貯蔵タンクと、温水貯蔵タンク内に、温水貯蔵タンクの排水口に連結して設けられ、雪の投入により貯水の水位が上昇した場合に貯水を排水する高さが異なる２つの排水管とを備え、雪の投入前のタンク本体は、低い位置にある排水管まで貯水されているものであり、雪の投入により低い位置にある排水管に流れ込む排水の水量を制限することにより、雪の投入により上昇するタンク本体の水位が低い位置にある排水管から高い位置にある排水管まで上昇するまで温水の排水を制限するようにしたものである。